(57)【要約】【課題】  錠ケース内に組付けられた錠機構の組付け部品が、該錠ケースに開口された覗き孔を通して確認できるようにして、信頼性の高い錠装置の提供を可能とする。【解決手段】  本締り錠２と空錠３からなる錠装置１において、本締り錠２と空錠３はそれぞれ２つに分割形成された錠ケース部材２１，２２、３１，３２が互いに接合されて形成された錠ケース２０，３０を有し、該錠ケース２０，３０内には複数の組付け部品からなる錠機構が組付け収容されている。錠ケース２０，３０を形成する２つの錠ケース部材２１，２２、３１，３２にはそれぞれ複数の開口２１ｄ，２２ｄ、２１ｅ，２２ｅ、・・・、３１ｄ，３２ｄ，３１ｅ，３２ｅ・・・が設けられ、これにより該開口を覗き孔として錠ケース２０，３０内に組み付けられた錠機構の各部品の確認ができるように構成されている。【選択図】    図１
2006316587.tif 000002
【特許請求の範囲】
【請求項１】
錠ケース内に複数の組付け部品からなる錠機構が収容された錠装置における組付け部品の確認方法であって、前記複数の組付け部品の確認が、該複数の組付け部品のそれぞれの組付け位置に対応して前記錠ケースに開口された覗き孔を通してなされることを特徴とする錠装置における組付け部品の確認方法。
【請求項２】
錠ケース内に複数の組付け部品からなる錠機構が収容された錠装置における組付け部品の確認方法であって、前記錠装置は、本締り錠と空錠とからなり、本締り錠は錠ケース内に複数の組付け部品からなる錠機構が収容された錠であり、該錠機構は少なくとも、シリンダハブと一体に回動するカムプレートの回動により、カンヌキがフロントに対して突出および退入して施錠および解錠を行う機構を備え、空錠は錠ケース内に複数の組付け部品からなる錠機構が収容された錠であり、該錠機構は少なくとも、レバーハブの回動によりラッチヘッドがフロントに対して突出および退入して施錠および解錠を行う機構を備えており、これら本締り錠と空錠における複数の組付け部品の確認がそれぞれ、該複数の組付け部品のそれぞれの組付け位置に対応して前記それぞれの錠ケースに開口された覗き孔を通してなされることを特徴とする錠装置における組付け部品の確認方法。
【発明の詳細な説明】
【技術分野】
【０００１】
本発明は、建物等の扉等に使用される錠装置に関し、特に錠装置における組付け部品の確認方法に関する。
【背景技術】
【０００２】
図１９にその一例が図示されるように、本締り錠０２と空錠０３とを組み合わせた錠装置０１は従来からよく知られており、この錠装置０１は、錠装置０１の本締り錠０２が、シリンダハブ０２１と一体回動するカムプレート０２２の回動でカンヌキ０２３をフロント０Ｙに対して突出および退入する機構を備え、これにより本締り錠０２の施錠および解錠がなされるようになし、また、空錠０３が、レバーハブ０３１の回動でラッチヘッド０３２をフロント０Ｙに対して突出および退入する機構を備え、これにより空錠０３の施錠および解錠がなされるようにされた錠装置０１が知られており、この錠装置０１は、その本締り錠０２と空錠０３である複数部品の組付体からなる錠機構がフロント０Ｙに取付けられた一方および他方側方部材０４１，０４２により覆われかつ支持される構造とされている
【発明の開示】
【発明が解決しようとする課題】
【０００３】
上述した従来の錠装置の開示例からも理解できるように、錠装置は複数の組付け部品からなり、これらの複数部品の組付体である錠機構がケース内において定められた一定の順序に従って正確に組付けられ、これにより信頼性の高い施錠および解錠機能を備えた錠装置が提供されてきた。信頼性の高い錠装置の提供のためには、複数部品の組付けが完全なものでなければならず、部品の組付けには細心の注意が要求され、従来からこのような要求に沿った組付け作業が行われてきた。
【０００４】
上述した従来の錠装置においても何ら例外ではないが、錠装置における部品組付け作業において、外側ケース部品の組付け前であれば、組付け部品の組付け状態の目視による確認は比較的容易に行うことができる。しかし、外側ケース部品の組付けがなされた後においては部品組付け部が該ケース部品により外側から覆われることになり、部品の組付け状態の目視等による確認は実質的に困難となる。結局、部品組付けの最終工程における組付け状態の目視等による確認はできないことになり、組付け終了後においては部品の組付け忘れによる欠落や不完全な組付け状態等の確認は行うことができず、誤って不良品が提供される恐れがある。
【０００５】
したがって、上述した課題の解決のために、外側ケース部品に構造的な工夫、具体的には該外側ケース部品に開口からなる覗き孔を施すことで、外側ケース部品の組付けがなされた後においても部品の組み忘れによる欠落や不完全な組付け状態が前記覗き孔を通して目視や、場合によっては適宜簡単な点検用工具等の使用により確認できる錠装置を提供する。
【課題を解決するための手段】
【０００６】
本発明は、前記課題を解決するための錠装置の改良構造の提供に係り、錠ケース内に複数の組付け部品からなる錠機構が収容された錠装置における組付け部品の確認方法であって、前記複数の組付け部品の確認が、該複数の組付け部品のそれぞれの組付け位置に対応して前記錠ケースに開口された覗き孔を通してなされることを特徴とする錠装置における組付け部品の確認方法に関する。
【０００７】
また、錠ケース内に複数の組付け部品からなる錠機構が収容された錠装置における組付け部品の確認方法であって、前記錠装置は、本締り錠と空錠とからなり、本締り錠は錠ケース内に複数の組付け部品からなる錠機構が収容された錠であり、該錠機構は少なくとも、シリンダハブと一体に回動するカムプレートの回動により、カンヌキがフロントに対して突出および退入して施錠および解錠を行う機構を備え、空錠は錠ケース内に複数の組付け部品からなる錠機構が収容された錠であり、該錠機構は少なくとも、レバーハブの回動によりラッチヘッドがフロントに対して突出および退入して施錠および解錠を行う機構を備えており、これら本締り錠と空錠における複数の組付け部品の確認がそれぞれ、該複数の組付け部品のそれぞれの組付け位置に対応して前記それぞれの錠ケースに開口された覗き孔を通してなされることを特徴とする錠装置における組付け部品の確認方法に関する。
【発明の効果】
【０００８】
本願の請求項１に記載の発明は、前記錠装置における組付け部品の確認方法であって、前記複数の組付け部品の確認が、該複数の組付け部品のそれぞれの組付け位置に対応して前記錠ケースに開口された覗き孔を通してなされるから、錠装置における部品の組付け後にケースが組付けられた状態において、つまり錠装置組立の終了段階で、組付け部品の組み忘れによる欠落はもとより、組付け部品の不完全な組付け状態等が錠ケースの開口である覗き孔を通して目視や、場合によっては適宜簡単な点検用工具の使用によりもしくは直接手で触れることで容易に確認できるので、組付け部品の欠落や組付けの不備が効果的に防止され、きわめて信頼性の高い錠装置の提供が可能となる。
【０００９】
さらに、前記錠ケースの開口である覗き孔は、複数組付け部品のそれぞれの組付け位置に対応して設けられているから、組付け部品の存在と、該部品の組付け不備等組付け状態の確認がさらに容易となり、確認の精度が向上し、確認のための時間の短縮化が図れる。また、確認のための開口である覗き孔は、原則目視による確認ができればよいので小さく、該開口からゴミ等のケース内への浸入は極力抑えることができる。
【００１０】
本願の請求項２に記載の発明は、前記錠装置における組付け部品の確認方法であって、前記錠装置は、本締り錠と空錠とからなり、本締り錠は錠ケース内に複数の組付け部品からなる錠機構が収容された錠であり、該錠機構は少なくとも、シリンダハブと一体に回動するカムプレートの回動により、カンヌキがフロントに対して突出および退入して施錠および解錠を行う機構を備え、空錠は錠ケース内に複数の組付け部品からなる錠機構が収容された錠であり、該錠機構は少なくとも、レバーハブの回動によりラッチヘッドがフロントに対して突出および退入して施錠および解錠を行う機構を備えており、これら本締り錠と空錠における複数の組付け部品の確認がそれぞれ、該複数の組付け部品のそれぞれの組付け位置に対応して前記それぞれの錠ケースに開口された覗き孔を通してなされるから、錠装置における本締り錠と空錠のそれぞれの錠において、部品組付け後の錠ケースが組付られた状態で、つまり、本締り錠と空錠のそれぞれの錠においてその組立の終了段階で、組付け部品の組み忘れによる欠落や組付け部品の組付け不備等が錠ケースの開口である覗き孔を通して目視により、また場合によっては適宜簡単な点検用工具の使用によりもしくは直接手で触れることで容易に確認できる。
【００１１】
したがって、本締り錠と空錠とが組込まれた全体として組付け部品数の多い錠装置における組付け部品の欠落や組付け不備が効果的に防止され、きわめて信頼性の高い該錠装置の提供が可能となる。さらに、本締り錠と空錠のそれぞれの錠ケースの開口である覗き孔は、複数組付け部品のそれぞれの組付け位置に対応して設けられているから、前記開口である覗き孔を通しての目視等による組付け部品の存在と、部品の組付け不備等組付け状態の確認が容易となり、確認の精度も向上し、確認のための時間の短縮も図れる。
【発明を実施するための最良の形態】
【００１２】
以下、図１ないし図１８に図示された本発明の実施態様について説明する。
【００１３】
先ず、本発明の組付け部品の確認方法が適用される錠装置１の構造について説明する。
図１、２を参照すると、本発明が適用される錠装置１は、建物の扉Ｘに使用される錠装置１として備えられる。錠装置１は、第１の錠としての本締り錠２と、第２の錠としての空錠３と、本締り錠２および空錠３を収容して保護する保護部材としての保護ケース４と、さらに、これらが一体化されて取付けられるフロントＹ等を備える。
【００１４】
本締り錠２および空錠３を収容して保護する保護ケース４は、図１において仮想線表示され、フロントＹの図示上下で隣接配置される本締り錠２および空錠３の両錠の外面を覆うケースであり、図２（ｃ）の参照により理解できるように、２つに分割された平面視略矩形状を呈した板状体４１ａ，４２ａ（図３，４参照）である保護ケース部材４１，４２からなる。
【００１５】
２つの保護ケース部材４１，４２はそれぞれ、図３，４に図示されるように、板状体４１ａ，４２ａの図示左方側のフロントＹへの対向辺縁である辺縁を除く３辺に直立する側板部４１ｂ，４１ｂ，４１ｃおよび４２ｂ，４２ｂ，４２ｃを備えており、この保護ケース４１，４２が前記本締り錠２および空錠３の外面を覆うようにして互いに接合されて、ネジＢ１により前記本締り錠２および空錠３に取付けられ、これら錠２，３を覆うケース４とされている。
【００１６】
本締り錠２と空錠３の外面を覆う保護ケース４は、より具体的には、保護ケース４の２つの保護ケース部材４１，４２が、図示左方側のフロントＹへの対向辺縁に側板部を備えるものでないから、該辺縁相当部に対応する本締り錠２と空錠３のそれぞれのフロントＹへの取付け対向辺縁（図示左方側端部）を覆うことはないが、この対向辺縁を除く該錠２，３の外面は略全面的に覆うものである。
【００１７】
両保護ケース部材４１，４２は、例えば冷間圧延鋼により形成され、表面硬化処理としての浸炭が施されることにより、例えば７００Ｈｖの表面硬度を有し、ドリル等による破壊を困難とするような高硬度を有する材質からなる板状部材である。
【００１８】
図３、４の図示から理解できるように、両保護ケース部材４１，４２には、本締り錠２を施錠および解錠操作するためのサムターン２Ａおよびシリンダ錠２Ｂ（図６参照）がそれぞれ挿入配置される略長方形状を呈する開口４１ｄ、４２ｄが設けられ、また、空錠３を解錠操作するための解錠用操作部材としてのレバーハンドル３Ａ（図１参照）が挿入される円形の開口４１ｅ，４２ｅが設けられ、さらに、両保護ケース部材４１，４２には、本締り錠２の後述される左右の錠ケース部材２１，２２および空錠３の左右の錠ケース部材３１，３２への皿ネジＢ１による取付のためのネジ用の孔が設けられ、この孔はネジのないネジ挿通孔４１ｆ，４２ｆとされ、都合３個所設けられている。なお、両保護ケース部材４１，４２の取付けについての詳細は後述される。
【００１９】
そして、上述の両保護ケース部材４１，４２に設けられる各開口、すなわち、サムターン２Ａおよびシリンダ錠２Ｂが挿入配置される開口４１ｄ，４２ｄ、レバーハンドル３Ａが挿入される開口４１ｅ，４２ｅおよびネジ挿通孔４１ｆ，４２ｆは、両保護ケース部材４１，４２の組付け時の対向配置において互いに整合する位置に設けられ、サムターン２Ａおよびシリンダ錠２Ｂが挿入される開口４１ｄ，４２ｄは、該組付け時の左右対向配置において、図３，４に図示の右上方に設けられている。
【００２０】
また、レバーハンドル３Ａが挿入される開口４１ｅ，４２ｅは、保護ケース部材４１，４２の前記対向配置において、図示の右下方に設けられ、さらに、３個所のネジ挿通孔４１ｆ，４２ｆは、上方中央寄りのサムターン２Ａおよびシリンダ錠２Ｂ挿入配置用の開口４１ｄ，４２ｄ近傍と、下方中央寄りのレバーハンドル３Ａ挿入用開口４１ｅ，４２ｅ近傍、さらに図示右方側辺縁近傍の中央にそれぞれ設けられている。
【００２１】
そして、両保護ケース部材４１，４２の内の本締り錠２の右錠ケース部材２２と空錠３の右錠ケース部材３２に取付けられる右側の保護ケース部材４２には、後述されるラッチ勝手交換に供されるための開口４２ｇが設けられ、この開口４２ｇは該ケース部材４２の前記右錠ケース部材３２のラッチ勝手交換用の開口３２ｎ（図１，図１２等参照）への対向位置に設けられており、保護ケース部材４２が空錠３の右錠ケース部材３２に取付けられた時に両開口３２ｎ，４２ｇは互いに整合して、これらの開口３２ｎ，４２ｇを通してドライバ等の工具の使用によりラッチ勝手交換が可能となる。
【００２２】
なお、解錠用操作部材は、ノブ、プッシュプルハンドルまたはサムラッチハンドル等、レバーハンドル以外の部材とすることもできる。
【００２３】
図１，２を参照すると、板状のフロントＹが図示されている。板状のフロントＹは、引き抜き加工により形成され、後述されるカンヌキ２３およびラッチ体３３が施錠および解錠操作に応じてそれぞれ挿通可能な開口Ｙ１が設けられた本体Ｙ０と、本体Ｙ０の左右の側縁に沿って上下方向に延びると共に後方に向って突出する一対の取付部Ｙ２とを有する。フロントＹは、本体Ｙ０の孔Ｙ３に挿通される図示されない皿ネジにより扉Ｘに取付けられ、前記一対の取付部Ｙ２には、本締り錠２、空錠３が皿ネジＢ２により取付けられ、これにより両錠２，３が、これら錠２，３に取付けられた保護ケース４により実質一体化されてフロントＹに取付けられる。
【００２４】
箱錠である本締り錠２は、図１，２に図示されるように、フロントＹの一対の取付部Ｙ２に固定手段としてのネジＢ２により取付けられる左右の対をなす錠ケース部材２１，２２からなる錠ケース２０を備え、該錠ケース２０に収納されるサムターン２Ａおよびシリンダ錠２Ｂによる施錠および解錠操作に応じて回動軸線Ｌ１を中心に回動する駆動体２４と、駆動体２４を回動自在に支持するための支持部２５と、駆動体２４の回動により施錠位置と解錠位置に移動するカンヌキ２３等を備える。
【００２５】
駆動体２４には、カンヌキ２３の施錠位置と解錠位置への移動のためのカムプレート２４ｂが備えられ、駆動体２４の回動に伴うカムプレート２４ｂの回動によりロックピン２３ｂを介してカンヌキ２３がフロントＹの前面の開口Ｙ１から突出する既述の施錠位置と、前面から後退する既述の解錠位置に移動する。また、フロントＹ前面に対して前後方向で最も突出した位置にある施錠位置のカンヌキ２３と、フロントＹ前面に対して前後方向で最も後退した位置にある解錠位置のカンヌキ２３を保持する保持部材２６を備える。
【００２６】
図５，６を参照して、駆動体２４の支持部２５は、サムターン２Ａの外ケース２Ａ１に回動自在に支持されて摘み部２Ｃと一体の軸部２Ａ１１と、シリンダ錠２Ｂの外ケース２Ｂ１に回動自在に支持されて鍵が挿入される軸部２Ｂ１１を備え、これらが駆動体２４の円筒状ハブ２４ａにその回動方向で係合し、この円筒状ハブ２４ａには径方向外方に延びる該ハブ２４ａと一体回動するアーム状の既述のカムプレート２４ｂが備えられている。
【００２７】
カムプレート２４ｂは、駆動体２４の円筒状ハブ２４ａに一体成形され、カンヌキ２３と当接する当接部としての先端部２４ｂ１を備え、該先端部２４ｂ１は、カムプレート２４ｂが施錠方向（図２において時計方向）に回動する時、ロックピン２３ｂに当接しカンヌキ２３を解錠位置から施錠位置まで移動するように駆動し、また、カムプレート２４ｂが解錠方向（図２において反時計方向）に回動する時、後述するカンヌキ２３本体２３ａの後端部２３ｈに当接して該カンヌキ２３を施錠位置から解錠位置まで移動するように駆動する構造を備える。
【００２８】
駆動体２４は、図５，６に図示されるように、両錠ケース部材２１，２２に一体に取付けられた支持部２５にその左右方向への移動が規制された状態においてかつ回動自在に支持されており、駆動体２４の支持部２５における左右方向への移動規制は、駆動体２４の円筒状ハブ２４ａのフランジ肩部２４ａ１が支持部２５の中ケース部材２５ａの嵌合孔２５ｂ縁部２５ｂ１に当接することでなされ、また、駆動体２４の回動自在とされる支持は、中ケース部材２５ａの嵌合孔２５ｂに前記駆動体２４の円筒状ハブ２４ａが回動摺動自在に嵌合されることでなされ、さらに、駆動体２４のハブ２４ａの円滑な回動摺動を保障するための一対の中ケース部材２５ａ間の間隔を規定する一対のスペーサ部材２５ｃが設けられている。
【００２９】
結局、一対の中ケース部材２５ａと、中ケース部材２５ａ間に介在される一対のスペーサ部材２５ｃとを挟む支持体２５の左右の両側には、外ケース２Ａ１，２Ｂ１のネジ挿入孔２Ａ２，２Ｂ２に挿入される一対のネジＢ４により互いに締結される既述のサムターン２Ａおよびシリンダ錠２Ｂが、それぞれ後述される本締り錠２の左右ケース部材２１，２２の開口２１ｄ、２２ｄ（図９，１０も参照）と既述の保護ケース４の左右ケース部材４１，４２の開口４１ｄ，４２ｄ（図３，４も参照）に挿入されることでそれぞれ配置されている。
【００３０】
再び図２を参照して、カンヌキ２３は、コの字状の断面を有する棒状の本体２３ａと、施錠位置で駆動体２４のカムプレート２４ｂの先端部２４ｂ１に当接する施錠側当接部であるロックピン２３ｂと、扉Ｘが取付けられる枠体に設けられた挿入孔Ｚ０に本体２３ａと共に挿入されるカマ２３ｃとを有し、本体２３ａの後端部２３ｈは、カムプレート２４ｂが解錠方向（反時計回り）に回動するときに該カムプレート２４ｂの先端部２４ｂ１が当接する解錠側当接部を構成する。
【００３１】
カンヌキ本体２３ａに保持されて、本体２３ａと一体に前後方向に移動可能なロックピン２３ｂの両端部２３ｂ１，２３ｂ２（図５参照）は、左右の錠ケース部材２１，２２の案内孔である開口２１ｅ，２２ｅに案内されて前後方向（図２図示左右方向）に移動することで、カンヌキ２３が左右両錠ケース部材２１，２２に対して摺動案内される。また、３枚の板状部材が互いにカシメ２３ｄされて構成されると共に本体２３ａに取付けられた支持軸２３ｅに揺動自在に支持されるカマ２３ｃは、その前端部の鉤部２３ｆと、支持軸２３ｅの近傍の嘴部２３ｇとを有する。
【００３２】
カンヌキ２３の施錠位置および解錠位置における保持部材２６は、カンヌキ２３の本体２３ａに上下方向で摺動自在に支持されると共に駆動体２４のカムプレート先端部２４ｂ１に当接する当接部２６ａ１を有する押圧体２６ａと、押圧体２６ａとカンヌキ本体２３ａとの間に配置されて押圧体２６をカムプレート２４ｂに当接するように付勢するカンヌキバネ２６ｂとから構成される。押圧体２６ａは、カンヌキ２３が施錠位置および解錠位置にあるとき、カンヌキバネ２６ｂの段発力でカムプレート２４ｂをそれぞれ当接部に押付ける。本締り錠２の構造は概ね上述のようなものである。
【００３３】
また、空錠３は、図１，２に図示されるように、フロントＹの一対の取付部Ｙ２に固定手段としての皿ネジＢ２により取付けられる左右一対の錠ケース部材３１，３２からなる空錠ケース３０と、レバーハンドル３Ａによる解錠操作に応じて回動軸線Ｌ２を中心に回動するラッチ駆動体３４と、ラッチ駆動体３４により駆動されてフロントＹの前面から突出している施錠状態および前面から後退している解錠状態となる位置に移動するラッチ体３３と、ラッチ体３３を解錠位置からフロントＹの開口Ｙ１を貫通して前面に対して前後方向（図示左右方向）で最も突出した位置である施錠位置に戻す戻し部材３５とを備える。
【００３４】
空錠ケース３０の両錠ケース部材３１，３２には、それぞれ駆動体３４のハブ３４ａを回動自在に支持する嵌合孔である開口３１ｄ，３２ｄ（図１１，１２参照）が設けられ、ラッチ駆動体３４は、レバーハンドル３Ａの軸部３ＡＯ（図１参照）が係合する円筒状のレバーハブ３４ａと、レバーハブ３４ａから回動軸線Ｌ２に対して径方向外方に延びてハブ３４ａと一体に回動する第１，第２レバーアーム３４ａ１，３４ａ２（図２参照）とを有し、レバーハブ３４ａおよび両レバーアーム３４ａ１，３４ａ２が一体成形された部材である。
【００３５】
図７，８も参照して、ラッチ体３３は、ラッチ本体３３ａと、該本体３３ａに結合されるラッチヘッド３３ｃを有し、また前記駆動体３４の第１レバーアーム３４ａ１と当接する当接部３３ｂ１が設けられた本体３３ａと別部材からなる後部本体３３ｂを有している。そして、ラッチ体３３は、第１レバーアーム３４ａ１と当接する当接部３３ｂ１の両端部３３ｂ１１が両空錠ケース部材３１，３２に設けられた案内孔である開口３１ｅ，３２ｅ（図１，図１１，１２参照）に嵌合して前後方向（図示左右方向）に移動することで、空錠ケース部材３１，３２に対して摺動案内される。
【００３６】
ラッチ体３３の前記当接部３３ｂ１は、ラッチ本体３３ａと別部材とされる後部本体３３ｂの後端３３ｂ２を直角に折り曲げ形成されており、この別部材からなる後部本体３３ｂは、後述されるラッチ勝手交換時に本体３３ａに対して相対移動可能とされるための長孔３３ｂ３を有し、この長孔は大径の孔部３３ｂ３１と小径の孔部３３ｂ３２からなり、この長孔３３ｂ３の大径孔部３３ｂ３１にはラッチ本体３３ａに取付けられたラッチ勝手交換機構のラッチ勝手交換軸３３ｄが挿通されている。
【００３７】
後部本体３３ｂは、ラッチ本体３３ａに対してラッチ勝手交換バネ３３ｅにより押圧されラッチ本体３３ａと後部本体３３ｂは互いに密接した接合関係とされるとともに、後部本体３３ｂの折り曲げ後端３３ｂ２がラッチ本体３３ａの後端に臨み、かつラッチ本体３３ａのラッチ勝手交換機構取付け孔３３ａ１の上部周縁の係止突出部３３ａ２に後部本体３３ｂの長孔の大径孔部３３ｂ３１の下縁３３ｂ３３が嵌合係止されている。
【００３８】
また、ラッチ勝手交換機構の近傍のラッチ本体３３ａと後部本体３３ｂの右側縁にはそれぞれ切欠き３３ａ４，３３ｂ４が設けられ（図７（ｂ）参照）、これらの切欠き３３ａ４，３３ｂ４は互いに前後にずらして設けられており、保護ケース４の外側から開口４２ｇと空錠ケース３の開口３２ｎ（図１，図４，図１２，図１４等参照）を通してこれら切欠き３３ａ４，３３ｂ４を視認することが可能とされ、またこれら開口４２ｇ，３２ｎを通して切欠き３３ａ４，３３ｂ４にドライバ等の工具の挿入が可能とされている。
【００３９】
ラッチ勝手交換時は、前記開口４２ｇ，３２ｎを通してマイナスドライバＤが切欠き３３ａ４，３３ｂ４に挿入され、該ドライバＤが図示矢印方向（図７（ｂ）参照）に回わされることで、ラッチ勝手交換機構のラッチ勝手交換バネ３３ｅのバネ力に抗して密接していた後部本体３３ｂとラッチ本体３３ａが互いに離間され、前記長孔大径孔部３３ｂ３１の下縁３３ｂ３３が前記係止突出部３３ａ２の嵌合係止から抜け出て外される。
【００４０】
長孔大径孔部３３ｂ３１の下縁３３ｂ３３が前記係止突出部３３ａ２から外れると、ラッチ本体３３ａと後部本体３３ｂは互いに前後方向で相対移動可能となり、このときラッチ本体３３ａは第１戻しバネ３５ｂの付勢力により前方へ押されるが、後部本体３３ｂは駆動体３４の第１レバーアーム３４ａ１に係止されているので移動しない。そして、ラッチ本体３３ａの前方への移動に伴いラッチ勝手交換軸３３ｄが前方に移動し、該軸３３ｄの大径部３３ｄ１が後部本体３３ｂの小径孔部３３ｂ３２側に移動し最終的にそこに嵌り込む。この時ラッチヘッド３３ｃはフロントＹの前方に全体が完全露出した状態となり、ラッチヘッド３３ｃはラッチ本体３３ａの前部で回動可能となる。なお、この状態では既にマイナスドライバＤは、前記切欠き３３ａ４，３３ｂ４から開口３２ｎ，４２ｇを通して引抜かれている。
【００４１】
ラッチヘッド３３ｃはラッチ本体３３ａの前部で１８０°回動され、その向きが変換される。ラッチヘッド３３ｃの向きの変換後、ラッチヘッド３３ｃをフロントＹの内方に押し込むと、ラッチ本体３３ａは再び元の位置に戻り、係止突出部３３ａ２はラッチ勝手交換軸３３ｄの挿通孔である大径孔部３３ｂ３１の下縁３３ｂ３３に嵌合し、ラッチ体３３は通常の使用状態に戻る。これによりラッチ勝手交換は完了する。
【００４２】
再び図２を参照して、第１の戻し部材３５は、両空錠ケース部材３１，３２の開口３１ｆ，３２ｆに保持されるバネ受板３５ａと、該バネ受板３５ａとラッチヘッド３３ｃとの間に配置されてラッチ体３３を施錠方向に付勢する第１戻しバネ３５ｂからなり、第２の戻し部材３６は、左ケース部材３１に一体成形されて設けられる固定バネ受け３１ｇと左ケース部材３１に対して前後方向（図２図示左右方向）に移動可能に支持される可動バネ受板３６ａとの間に配置される第２戻しバネ３６ｂと、ネジ孔を兼ねるスペーサ部材Ｓ３により構成される施錠位置を設定するストッパ３１ｈとを備える。
【００４３】
第２戻しバネ３６ｂは、可動バネ受板３６ａと当接する第２レバーアーム３４ａ２を介して、ラッチ駆動体３４が施錠方向に回動するように該駆動体３４を付勢する。
空錠３は概ね上述の構造を備えるものである。
【００４４】
本締り錠２と空錠３からなる錠装置１は、概ね上述の構造を備える。
ここで、錠装置１による扉Ｘの開閉のための施錠および解錠における作動概要を図１５ないし図１８に基づいて説明しておく。
【００４５】
カンヌキ２３の施錠位置では、カンヌキ２３がフロントＹから突出していて、カンヌキ２３のロックピン２３ｂとカムプレート２４ｂの先端部２４ｂ１とが当接しており、また、カマ２３ｃの鉤部２３ｆがストライクＺに設けられた開口Ｚ１を通って挿入孔Ｚ０に入り込んで、扉Ｘがこじ開けられるのを防止する（図１，２参照）。
【００４６】
施錠状態（図１，２参照）の錠装置１の解錠は、シリンダ錠２Ｂ（図１参照）に差し込まれた鍵またはサムターン２Ａによる本締り錠２の解錠操作によりなされ、該鍵またはサムターン２Ａの解錠操作によりハブ２４ａが解錠方向に回動し、まずカムプレート２４ｂの先端部２４ｂ１によって押圧体２６がカンヌキバネ２６ｂの弾発力に抗して押し下げられ、次いで、カムプレート２４ｂの先端部２４ｂ１によってカンヌキ２３の後端部２３ｈが解錠方向へ押され、カンヌキ２３が後退する（図１５参照）。
【００４７】
そうすると、カマ２３ｃは重力により支持軸２３ｅの周りに反時計方向に回動し、遂にはカマ２３ｃ全体がカンヌキ２３の本体２３ａのＵ字溝内に落ち込む（図１６参照）。ハブ２４ａの回動を更に続けると、カンヌキ２３は完全にフロントＹ、錠ケース２０内に退入し、本締り錠２は解錠される（図１７参照）。
【００４８】
錠装置１の施錠は、解錠状態にある本締り錠２（図１７参照）のシリンダ錠２Ｂに差し込まれた鍵またはサムターン２Ａによる施錠操作でなされ、ハブ２４ａが施錠方向に回動すると、まず、カムプレート２４ｂの先端部２４ｂ１により押圧体２６がカンヌキバネ２６ｂの段発力に抗して押し下げられ、次いで先端部２４ｂ１によりロックピン２３ｂが施錠方向へ押されて、カンヌキ２３が前進する。
【００４９】
そして、カマ２３ｃの嘴部２３ｇがフロントＹの本体Ｙ０の内面に接触した後（図１６参照）、更にハブ２４ａの回動を続けると、カンヌキ２３は更に前進して、カマ２３ｃが支持軸２３ｅの周りに時計方向に回転し（図１５参照）、ストライクＺの開口Ｚ１（図２参照）を通って挿入孔Ｚ０に鉤部２３ｆが入って、本締り錠２は施錠状態（図２参照）に戻る。
【００５０】
また、空錠３は、本締り錠２の解錠状態において、レバーハンドル３Ａを回動操作して空錠３のハブ３４ａを解錠方向（時計方向）に回すと、第１戻しバネ３５ｂと第２戻しバネ３６ｂが圧縮されて、ラッチ体３３が解錠方向へ移動して、ラッチヘッド３３ｃがフロントＹの開口Ｙ１内および空錠ケース３０内に退入し、扉Ｘの係止が解除されて、扉Ｘを開くことができる（図１８参照）。
【００５１】
レバーハンドル３Ａを開放してハブ３４ａに働く外力を取り去ると、第１，第２の戻しバネ３５ｂ，３６ｂの弾発力により、レバーハブ３４ａは施錠方向に回動し、ラッチ体３３が前進する（図１７参照）。この時、扉Ｘが閉じていれば係止状態になる。また扉Ｘが開いていて、ラッチヘッド３３ｃが突出している状態から、そのまま扉Ｘを閉じると、ラッチヘッド３３ｃの先端部の傾斜面とストライクＺとの当接により、ラッチ体３３は第１戻しバネ３５ｂの力に抗してフロントＹの開口Ｙ１内および空錠ケース３０内に退入し、扉Ｘが閉じた後、ラッチヘッド３３ｃが再び第１戻しバネ３５ｂの力で開口Ｙ１を通じて挿入孔Ｚ０内に突出し、扉Ｘは係止状態になる。扉Ｘの開閉のための施錠、解錠は概ね上述のようなものである。
【００５２】
ところで、本締り錠２の錠ケース２０は、図９、１０（また、適宜、図１３も参照して）に図示されるように、全体としては平面視矩形状をなす一対の互いに線対称とされる同形の本締り錠ケース部材２１，２２からなり、これら錠ケース部材２１，２２は、所定厚の板状体２１ａ，２２ａからなり、そのフロントＹへの対向辺縁である図９，１０の図示左方側の短手方向辺縁を除く３辺縁には板状体２１ａ，２２ａの平面から直立する幅の狭い側板部、すなわち、長手方向両辺縁の側板部２１ｂ，２１ｂおよび２２ｂ，２２ｂと右方側短手方向辺縁の側板部２１ｃおよび２２ｃが設けられている。
【００５３】
矩形状錠ケース部材２１，２２の両長手方向辺縁の側板部２１ｂ，２１ｂおよび２２ｂ，２２ｂは、両ケース部材２１，２２の組付け接合時の錠ケース２０形成時に該ケース２０の両長手方向側縁を略閉鎖し、その図示下方の長手方向側縁の閉鎖状態は図１３（ｂ）に図示されている。
【００５４】
また、矩形状錠ケース部材２１，２２の短手方向辺縁の図示右方側板部２１ｃ，２２ｃは、両錠ケース部材２１，２２の組付け接合時の錠ケース２０形成時に図１３（ｅ）に図示されるように錠ケース２０の短手方向右方側縁の一部のみを閉鎖して、該側縁に側板部の一部により仕切られた図示上下の２つの開口２０ａ，２０ｂが開口する。これら２つの開口２０ａ，２０ｂの内上方開口２０ａは、錠ケース２０内に組付けられた駆動体２４の支持部２５の中ケース２５ａや中スペーサ２５ｃの相当位置で開口し、また下方開口２０ｂは、カンヌキ２３の組付けにおける該カンヌキ２３の後端部２３ｈやカンヌキバネ２６ｂ相当位置で開口している。
【００５５】
そして、両錠ケース部材２１，２２の組付け接合時の錠ケース２０形成時に、その辺縁に側板部が設けられていないことから該辺縁を全面的に開放する既述の図示左方のフロントＹへの対向辺縁の開放開口２０ｃは、図１３（ｄ）に図示されるように、錠ケース２０内に組付けられたカンヌキ２３の前方と、カンヌキ２３前方のカマ２３ｃの前方端の相当位置で開口する開放開口２０ｃとされている。
【００５６】
両錠ケース部材２１，２２には、その組付け接合時の互いの対向配置で整合される位置に、たとえば、図９（図１３（ｃ）も参照）における左錠ケース部材２１は裏面（内面）視されており、該錠ケース部材２１の図示右上方に位置して、サムターン２Ａの筒状の外ケース２Ａ１（図６参照）が挿入配置される略長方形状をなす開口２１ｄが設けられ、図１０（図１３（ａ）も参照）における右錠ケース部材２２は外表面（外面）視されており、錠ケース部材２２の図示右上方に位置して、シリンダ錠２Ｂの筒状の外ケース２Ｂ１（図６参照）が挿入配置される略長方形状の開口２２ｄが設けられ、これら開口２１ｄ，２２ｄは、それぞれ錠ケース部材２１，２２の図示右方辺縁を切り離した右方開放部２１ｄ１，２２ｄ１と、円弧形状をなす左方縁２１ｄ２，２２ｄ２を備えている。
【００５７】
また、両錠ケース部材２１，２２には、上述の図９，１０の図示において前記開口２１ｄ，２２ｄの下部に沿って延びる既述のカンヌキ２３のロックピン２３ｂ摺動のための案内孔である長い開口２１ｅ，２２ｅ（図１３参照）が形成され、さらに、両錠ケース部材２１，２２の該図示左方側上方に短手方向（垂直方向）に指向してかつ所定の間隔を有して２つの開口２１ｆ１，２１ｆ２、２２ｆ１，２２ｆ２が設けられ、これら２つの開口には、両錠ケース部材２１，２２の組付け接合時における対向配置の両者錠ケース部材２１，２２間の間隔保持と、図示左方辺縁に側板部が設けられないことから全面開放される開放開口２０ｃを錠ケース２０の内方で部分的に閉鎖するためのブロッカーＢＬ（図１３参照）が取付けられる。
【００５８】
この２つのブロッカーＢＬ取付け用の開口２１ｆ１，２１ｆ２，２２ｆ１，２２ｆ２の内、錠ケース部材２１，２２の上側縁近傍の一方開口２１ｆ１，２２ｆ１は短手方向に長い長方形状をなし、また錠ケース部材２１，２２の短手方向中央寄りの他方開口２１ｆ２，２２ｆ２は略十字形状をなし、十字形状形成の短手方向開口の長さ方向中心軸線ｘは前記一方開口２１ｆ１，２２ｆ１の長さ方向中心軸線と同一線上にある。これらの開口２１ｆ１，２２ｆ１、２１ｆ２，２２ｆ２は、両本締り錠ケース部材２１，２２のその組付け接合時の対向配置において互いに整合する位置関係にある。
【００５９】
そして、他方の本締り錠ケース部材２２のブロッカーＢＬの取付け用開口２２ｆ１，２２ｆ２の内の図示下方の開口２２ｆ２の下部近傍位置には、つまり錠ケース部材２２の図示左方側の短手方向略中央位置のスペースピンＳｐ（図１３（ａ）参照）の組付け対応位置には、円形の小さな開口２２ｇが設けられている。スペースピンＳｐは、カンヌキ本体２３ａの側部内面間の間隔保持材である。
【００６０】
両本締り錠ケース部材２１，２２は既述のように、部品組付け後に互いに位置合わせ接合されて皿ネジＢ３のネジ締めにより固定されるが、このためのネジ用の孔２１ｈ，２２ｈが両錠ケース部材２１，２２に設けられ、このネジ用の孔２１ｈ，２２ｈは、ネジのないネジ挿通孔であり、両錠ケース部材２１，２２の組付け接合時の対向配置において、両錠ケース部材２１，２２のそれぞれの内面側の前記ネジ挿通孔２１ｈ，２２ｈ開口に、その両端にネジの切られた筒状スペーサ部材Ｓ３（図２参照）が芯合わせされ、かつ介在されて、前記両ネジ挿通孔２１ｈ，２２ｈに該両錠ケース部材２１，２２のそれぞれの外面から皿ネジＢ３を挿入して前記スペーサ部材Ｓ３の両端のネジ孔にネジ込むことで、両錠ケース部材２１，２２はスペーサ部材Ｓ３を介して互いに締付け固定される。
【００６１】
したがって、スペーサ部材Ｓ３は両錠ケース部材２１，２２の組付け接合時の対向配置における保持間隔に相当する長さを有しており、また、両錠ケース部材２１，２２のネジ挿通孔２１ｈ，２２ｈは、それぞれ両錠ケース部材２１，２２の外面の孔開口部が皿ネジＢ３の使用のために皿もみされている。そしてこれらのネジ挿通孔２１ｈ，２２ｈは、錠ケース部材２１，２２のサムターン２Ａおよびシリンダ錠２Ｂ挿入配置のための開口２１ｄ，２２ｄ近傍の２個所と、つまり、該開口２１ｄ，２２ｄの図示右上方辺縁寄りの位置と、該開口２１ｄ，２２ｄ左方縁２１ｄ２，２２ｄ２近傍位置の２個所と、両錠ケース部材２１，２２の長手方向中央下部辺縁近傍位置の１個所の都合３個所に設けられている。
【００６２】
部品組み付け後に両錠ケース部材２１，２２が互いに接合されて前記皿ネジＢ３により締付けられることで固定され、組付け錠機構がケース２０内に収容されて本締り錠２としての機能を具備した錠単体が形成される。この錠単体には既述の保護ケース４が取付けられる。なお、保護ケース４の取付けの詳細は後述される。
【００６３】
一方、空錠ケース３０は、図１１，１２（また、適宜、図１４も参照して）に図示される一対の略矩形状の空錠ケース部材３１，３２からなり、図１１の図示において空錠ケース部材３１は裏面（内面）視され、図１２において空錠ケース部材３２は外表面（外面）視されているが、両空錠ケース部材３１，３２は、所定厚の板状体３１ａ，３２ａからなり、その平面視形状は略矩形状を呈しており、板状体３１ａ，３２ａのフロントＹへの対向辺縁である短手方向左方側辺縁を除く３辺縁には、板状体３１ａ，３２ａの板面から直立する幅の比較的狭い側板部３１ｂ，３１ｂおよび３１ｃと３２ｂ，３２ｂおよび３２ｃが設けられている。
【００６４】
矩形状ケース部材３１，３２の図示短手方向右方側辺縁の側板部３１ｃ，３２ｃは、両ケース部材３１，３２の組付け接合時に空錠ケース３０の図示短手方向右側縁の略全面を閉鎖する。しかし、両長手方向辺縁の側板部３１ｂ，３１ｂ、３２ｂ，３２ｂは、該組付け接合時に空錠ケース３０の図示下方の長手方向側縁を略全面閉鎖するが、図示上方長手方向側縁は、図１４（ｂ）に図示されるようにそのやや後方寄り位置に大きな側面開口３０ａを備え、また、前方側（図示左方側）の端部位置が切除された切欠部からなる側面開放端３０ｂとされて部分的に閉鎖する。
【００６５】
側面開口３０ａは、空錠ケース３０内に組付けられるラッチ体３３の後方側面（図示右方側側面）や、ラッチ勝手交換軸３３ｄ、ラッチ勝手交換バネ３３ｅ、さらにはラッチ勝手交換ワッシャ３３ｆ等（図１４（ｂ）参照）の組付け位置に対応して設けられる開口であり、また、切欠部からなる側面開放端３０ｂは、組付けられるラッチ体３３の前方側面（図示左方側側面）に対応して設けられる開放部である。
【００６６】
そして、既述のように両空錠ケース部材３１，３２のフロントＹへの対向辺縁には側板部が設けられていないので、両錠ケース部材３１，３２の組付け接合時における空錠ケース３０の形成時に該ケース３０のフロントＹへの対向側縁は全面開放された開放開口３０ｃとされ、この開放開口３０ｃからは組付けられるラッチ体３３の先端のラッチヘッド３３ｃとラッチリップ３３ｃ１（図１４参照）が突出する。
【００６７】
図１１，１２に図示されるように、両空錠ケース部材３１，３２の図示右方寄りのやや下方位置に比較的大きな円形の開口３１ｄ，３２ｄが設けられており、この開口３１ｄ，３２ｄはレバーハンドル３Ａのノブ用ハブ３４ａが挿入配置される開口である。そして、該開口３１ｄ，３２ｄに挿入配置されるハブ３４ａは、その中央部にレバーハンドル３Ａのノブの回動力を伝えるための多角化された開口３４ａ０（図１４（ｃ）参照）を備え、ノブの回動が既述のラッチ体３３の駆動を司るようになされる。そして、これら開口は両空錠ケース部材３１，３２の組付け接合時の対向配置においてその位置は互いに整合されている。
【００６８】
また、両錠ケース部材３１，３２の右方辺縁寄りの開口３１ｄ，３２ｄの上方に、該ケース部材３１，３２の長手方向に指向して延びる開口３１ｅ，３２ｅが設けられ、これら開口はラッチ体３３の施錠、解錠における前後方向（図示左右方向）への移動のための摺動案内孔とされる。そして、この長い開口３１ｅ，３２ｅと該ケース部材３１，３２の板状体３１ａ，３２ａの図示左右位置で対向するように該ケース部材３１，３２の左方寄りの位置に、ケース部材３１，３２の短手方向（図示垂直方向）に指向して延びる長く幅の狭い開口３１ｆ，３２ｆが開口しており、これら開口３１ｆ，３２ｆは、ラッチ体３３のラッチバネ３５ｂのバネ受板３５ａ（図１４（ｃ）参照）取付用に供される開口である。
【００６９】
そして、他方ケース部材である右錠ケース部材３２には、バネ受板３５ａ用の開口３２ｆの左方に位置し、該開口３２ｆに隣接する円形の開口３２ｇが設けられ、この円形の開口３２ｇは、ラッチ体３３のラッチ芯と第１戻しバネ（ラッチバネ）３５ｂ（図１４（ｃ）参照）に対応して設けられた開口であり、この開口３２ｇは右錠ケース部材３２にのみ設けられている。
【００７０】
また、左錠ケース部材３１には、前記レバーハンドル３Ａのノブ用のハブ３４ａ挿入配置のための開口３１ｄの下方の辺縁近傍位置と、該開口３１ｄのやや下方で該ケース部材３１の長手方向中央寄りの下方辺縁近傍位置に２つの開口３１ｈ，３１ｉが設けられ、これら開口３１ｈ，３１ｉの内のハブ３４ａ挿入開口３１ｄの下方辺縁に位置する一方開口３１ｈはやや大きく、ケース部材３１の長手方向中央寄りの他方開口３１ｉはやや小さな開口とされている。
【００７１】
両開口３１ｈ，３１ｉは互いに関連し、つまり、両開口３１ｈ，３１ｉは組付けられる既述の第２戻しバネ（ハブバネ）３６ｂ（図１４（ａ）参照）の対応位置に設けられ、一方開口であるやや大きな開口３１ｈは該バネ３６ｂのバネ受板３６ａに対応し、また他方開口であるやや小さな開口３１ｉは該バネ３６ｂの上部位置に対応している。これら開口３１ｈ，３１ｉは一方空錠ケース部材である左錠ケース部材３１のみに設けられている。
【００７２】
そして、左右の両錠ケース部材３１，３２は、部品組付け後に互いに皿ネジＢ３の締付けにより固定されるが、このためのネジ用の孔３１ｊ，３２ｊが両錠ケース部材３１，３２に設けられ、これらの孔３１ｊ，３２ｊはネジのないネジ挿通孔であり、両錠ケース部材３１，３２の組付け接合時の対向配置における両ケース部材３１，３２の対向内面の両ネジ挿通孔３１ｊ，３２ｊにその両端にネジの切られた筒状スペーサ部材Ｓ３（図２参照）が芯合わせ、かつ接合介在されて、前記両ネジ挿通孔３１ｊ，３２ｊに該両ケース部材３１，３２のそれぞれの外面から皿ネジＢ３を挿入して前記スペーサ部材Ｓ３の両端のネジ孔にネジ込むことで、両錠ケース部材３１，３２はスペーサ部材Ｓ３を介して互いに締付け固定される。
【００７３】
したがって、スペーサ部材Ｓ３は両錠ケース部材３１，３２の組付け接合時の対向配置における保持間隔に相当する長さを有しており、また、両錠ケース部材３１，３２のネジ挿通孔３１ｊ，３２ｊは、それぞれ両錠ケース部材３１，３２の外面の孔開口部が皿ネジＢ３の使用のために皿もみされている。このネジ挿通孔３１ｊ，３２ｊは、両錠ケース部材３１，３２のレバーハンドル３Ａのノブ用のハブ３４ａ挿入配置用の開口３１ｄ，３２ｄ近傍のやや右上方位置に設けられている。
【００７４】
なお、右錠ケース部材３２の長手方向中央上部の開口３２ｎは、既述したところでもあるがラッチ勝手交換用の開口であり、この開口３２ｎは、保護ケース４のケース部材４２が右錠ケース部材３２に取付けられた時に該保護ケース部材４２の開口４２ｇと互いに整合され、これらの開口３２ｎ，４２ｇを通してラッチ勝手交換のためのドライバ等工具の挿入が可能とされる。
【００７５】
部品組付け後に、両錠ケース部材３１，３２が接合され皿ネジＢ３により締付け固定されることで、組付け錠機構が錠ケース３０内に収容されて空錠３としての機能を具備した錠単体が形成される。この錠単体には保護ケース４が取付けられ、既述のように該保護ケース４は本締り錠２と空錠３のそれぞれの錠単体に対して取付けられ、これら錠単体への保護ケース４の取付けは、実質的にはこれら錠単体の錠ケース２０，３０の該ケース両外面をそれぞれ形成する錠ケース部材２１，２２、３１，３２のネジ孔２１ｉ，２２ｉ、３１ｋ，３２ｋを利用してなされる。
【００７６】
錠ケース部材２１，２２、３１，３２の保護ケース４取付けのためのネジ孔は、図９，１０および図１１，１２に図示されるように、本締り錠２の錠ケース部材２１，２２にはそれぞれ２箇所づつ設けられ、これらのネジ孔はネジの切られたネジ孔２１ｉ，２２ｉとされ、両錠ケース部材２１，２２の辺縁近傍に設けられ、その一つは図示右下方の角部に、また、他の一つは錠ケース部材２１，２２の長手方向中央の上辺縁近傍位置に設けられている。
【００７７】
また、空錠３の空錠ケース部材３１，３２にはそれぞれ一箇所づつ設けられ、これらのネジ孔３１ｋ，３２ｋはネジが切られたネジ孔とされ、このネジ孔３１ｋ，３２ｋはレバーハンドル３Ａのノブ用のハブ３４ａ挿入配置用開口３１ｄ，３２ｄ近傍の左方寄り位置に設けられている。
【００７８】
したがって、本締り錠２と空錠３の錠ケース２０，３０のそれぞれの左右両外面に保護ケース４の保護ケース部材４１，４２がそれぞれ当てがわられて、皿ネジＢ１の締付けによりこれら錠ケース２０，３０の両外面に保護ケース４の保護ケース部材４１，４２が取付けられる。より具体的には、例えば、先ず本締り錠２の錠ケース２０両外面の内の一方ケース部材である左錠ケース部材２１への一方保護ケース部材４１の取付けがなされた後に、空錠３の錠ケース３０の一方ケース部材である左錠ケース部材３１への該保護ケース部材４１の取付けがなされ、その後本締り錠２と空錠３の錠ケース２０，３０のそれぞれの他方ケース部材である右錠ケース部材２２，３２への他方保護ケース部材４２の取付けがなされる。
【００７９】
本締り錠ケース２０と空錠ケース３０の一方ケース部材である左錠ケース部材２１，３１への保護ケース部材４１の取付けは、保護ケース部材４１の皿もみされたネジ挿通孔４１ｆを通して皿ネジＢ１が前記左錠ケース部材２１，３１のそれぞれのネジ孔２１ｉ、３１ｋにネジ込まれ、また本締り錠ケース２０と空錠ケース３０の他方ケース部材である右錠ケース部材２２，３２への保護ケース部材４２の取付けは、保護ケース部材４２の皿もみされたネジ挿通孔４２ｆを通して皿ネジＢ１が前記右錠ケース部材２２，３２のそれぞれのネジ孔２２ｉ，３２ｋにネジ込まれ、ネジ締め固定されることでなされる。
【００８０】
そして、この両錠ケース２０と３０の左右の錠ケース部材２１，２２、３１，３２への保護ケース４１，４２取付けにおける皿ネジＢ１の前記ネジ締めは、長めの皿ネジＢ１によりなされ、締付け時のネジ先端部は左右錠ケース部材２１，２２、３１，３２の対向内面からそれぞれ突出するようになされて、これらのネジ先端に筒状のスペーサ部材Ｓ１の両端が挿入保持され、これによりスペーサ部材Ｓ１が両錠ケース部材２１，２２、３１，３２の組付け接合時の対向配置における両錠ケース部材２１，２２，３１，３２間の間隔保持材として介在される。
【００８１】
保護ケース４が取付けられることで実質一体化された本締り錠２と空錠３のケース２０，３０の両外面のケース部材２１，２２、３１，３２には、これらケース２０と３０をそれぞれフロントＹに皿ネジＢ２のネジ締めにより取付けるためのネジ孔２１ｊ，２２ｊ、３１ｍ，３２ｍがそれぞれ２個所づつ設けられ、これらのネジ孔２１ｊ，２２ｊ、３１ｍ，３２ｍは、両錠ケース２０と３０の両外面のケース部材２１，２２、３１，３２の前側とされるフロントＹ対向辺縁である図示左方辺縁の上下においてそれぞれ設けられ、この部分は保護ケース４の左右ケース部材４１，４２に覆われていない部分である（図２（ｃ）参照）。
【００８２】
したがって、本締り錠２と空錠３のそれぞれの錠機構を収容し実質一体化された両錠ケース２０，３０のフロントＹへの取付けは、それぞれの錠ケース２０，３０の左右両外面の図示左方側とされる前側が、フロントＹの後方に突出する左右の対をなす取付部Ｙ２間で該取付部対向面にそれぞれ当てがわれて、皿もみされたフロントＹの該取付部Ｙ２のネジのないネジ挿通孔Ｙ２１，Ｙ２２（図２（ｃ）参照）を通して、皿ネジＢ２が、本締り錠２と空錠３のケース２０，３０の左右両外面を形成する錠ケース部材２１，２２、３１，３２のネジ孔２１ｊ，２２ｊ，３１ｍ，３２ｍにネジ込まれ、ネジ締め固定されることでなされる。
【００８３】
そして、この両錠ケース２０と３０の左右の錠ケース部材２１，２２、３１，３２のフロント取付部Ｙ２への取付けにおける皿ネジＢ２の締付けは、長めの皿ネジによりなされ、皿ネジＢ２の締付けにおけるネジ先端部が、錠ケース２０，３０の左右ケース部材２１，２２、３１，３２の対向内面からそれぞれ突出するようになされ、これらネジ先端に筒状のスペーサ部材Ｓ２（図９，図１１参照）の両端が挿入保持され、これによりスペーサ部材Ｓ２が両錠ケース部材２１，２２、３１，３２の前記フロント取付部Ｆ２への取付けにおける該両錠ケース部材２１，２２，３１，３２の対向配置間に間隔保持材として介在される。
【００８４】
本発明の錠装置１は、上述のような構造を備えるものである。
ここで、本締り錠２と空錠３における複数組付け部品による錠機構の組付けと、該錠機構の錠ケース２０，３０内への収容後の各組付け部品の確認方法についてその概要を説明する。
【００８５】
上述の複数の組付け部品の組付けからなる錠機構を備える錠、たとえば本締り錠２においては、一方の錠ケース部材である左錠ケース部材２１に対して、組付け部品が順次定められた組付手順にしたがい組付けられる。各部品の組付けが終了すると、他方の錠ケース部材である右錠ケース部材２２が一方のケース部材である左錠ケース部材２１に対して位置合わせされてネジ孔２１ｈ，２２ｈの位置調整後、互いに両ケース部材２１，２２が皿ネジＢ３で締付け固定されて、組付け部品の組付けからなる錠機構が本締り錠ケース２０内に収納されて本締り錠２が形成される。
【００８６】
また、空錠３においても同様、一方の錠ケース部材である左錠ケース部材３１に組付け部品が順次定められた組付手順にしたがい組付けられる。各部品の組付けが終了すると、他方錠ケース部材である右錠ケース部材３２が一方のケース部材である左錠ケース部材３１に対して位置合わせされて、ネジ孔３１ｊ，３２ｊの位置調整後、互いに両ケース部材３１，３２が皿ネジＢ３により締付け固定されて、組付け部品の組付けからなる錠機構が空錠ケース３０内に収納されて空錠３が形成される。
【００８７】
本締り錠２と空錠３はそれぞれ、その組付け部品の組付けからなる錠機構が本締り錠ケース２０もしくは空錠ケース３０内に収納されて単体としての本締り錠２および空錠３とされているが、これら本締り錠２および空錠３の錠単体においては、上述の錠ケース２０もしくは３０の形成部材である左右の錠ケース部材２１，２２もしくは３１，３２がそれぞれ所定の開口や切欠部を具備するから、これら錠単体内の錠機構における組付け部品が、また該部品の組付け状態が錠単体の錠ケース２０もしくは３０の形成部材である左右の錠ケース部材２１，２２もしくは３１，３２の開口や切欠部等を通して目視や、場合によっては適宜簡単な点検用の工具を用いて、また直接手で触れることで確認できる。
【００８８】
たとえば、本締り錠２においては、図１３に図示されるように、開口２１ｄ，２２ｄにより駆動体２４のハブ２４ａの組付け状態等が、また開口２１ｅ，２２ｅを通してロックピン２３ｂの存在と案内孔における摺動状態等が、開口２１ｆ１，２２ｆ１、２１ｆ２，２２ｆ２を通してブロッカーＢＬの存在と取付け状態が、開口２２ｇを通してスペースピンＳｐの存在が確認される。
【００８９】
さらには、図示右方側縁（辺縁）の上下の２つの開口２０ａ，２０ｂ（図１３（ｅ）参照）により、つまり、上方開口２０ａにより駆動体２４の支持部２５の中ケース２５ａや中スペーサ２５ｃの組付け状態が、下方開口２０ｂによりカンヌキ２３の後端部２３ｈやカンヌキバネ２６ｂ相当位置の状態が確認できる。また、図示左方側縁（辺縁）であるフロントＹ側の開放開口２０ｃ（図１３（ｄ）参照）を通してカンヌキ２３のカマ２３ｃの動き等が直接目視で、もしくは適宜簡単な点検用工具を用いて確認することができ、場合によっては手で直接触れることで確認できる。
【００９０】
さらに、錠ケース２０における皿ネジＢ３による締付け具合や錠ケース部材２１，２２の接合部の錠ケース部材２１，２２相互の位置ズレ状態は、本締り錠２単体の外観から直接確認することができ、カマ２３ｃのカシメ２３ｄの状態は、カマ２３ｃが断面Ｕ字形状のカンヌキ本体２３ａ内部にその鉤部２３ｆ先端部のみを外部に露出して落ち込んだ状態とされるので、目視による直接的な確認は困難であるから、適宜簡単な点検工具を用いて、また手でもってカマ２３ｃを本体２３ａ内部から引き出すことで確認が行われる。
【００９１】
一方、空錠３においては、図１４に図示されるように、空錠３の単体の錠ケース３０を形成する錠ケース部材３１，３２の開口３１ｄ，３２ｄによりレバーハブ３４ａの状態等が、また開口３１ｈ，３１ｉを通してラッチ体３３の第２戻しバネ３６ｂ（ハブバネ）の存在と装着状態が、つまり、開口３１ｈを通してバネ受板３６ａの存在の確認とその近傍の様子が確認され、開口３１ｉを通して第２戻しバネ３６ｂの存在と該バネ３６ｂの上方の様子等が確認できる。
【００９２】
また、左右両錠ケース部材３１，３２の右上方の開口３１ｅ，３２ｅによりラッチ体３３後端のレバー当接部３３ｂ１の状態が確認され、さらに左右両錠ケース部材３１，３２の開口３１ｆ，３２ｆを通してラッチ体３３の第１戻しバネ３５ｂのバネ受板３５ａの存在等が確認され、右錠ケース部材３２の開口３２ｇを通してラッチ体３３のラッチ芯の確認と第１戻しバネ３５ｂの確認を行うことができる。さらに、空錠ケース３０の側縁やや後側の大きな開口３０ａ（図１４（ｂ）参照）によりラッチ体３３の本体３３ａ後方部とラッチ勝手交換軸３３ｄ、ラッチ勝手交換バネ３３ｅおよびラッチ勝手交換ワッシャ３３ｆ等の存在や装着状態等の確認が行われる。
【００９３】
また、空錠ケース３０の前記側縁の前側の切欠開口３０ｂ（図１４（ｂ）参照）と、図示左方側側縁（辺縁）であるフロントＹ側の開放開口３０ｃ（図示１４（ａ）参照）によりラッチ体３３の本体３３ａの前方部とラッチヘッド３３ｃ、ラッチリップ３３ｃ１等の状態の確認がなされる。これらの確認はラッチ体３３の空錠ケース３０からの出没状態の確認も可能とするものである。
【００９４】
空錠３におけるこれらの各開口や切欠部による確認は目視、また場合によっては適宜簡単な点検工具を用いて行うことができ、直接手で触れることにより確認することもできる。さらに、空錠ケース３０における皿ネジＢ３による締付け具合や錠ケース部材３１，３２の接合部の錠ケース部材３１，３２相互の位置ズレ状態は、空錠３の錠単体の外観から直接確認することができる。
【００９５】
本締り錠２と空錠３の各錠単体において組付け部品の確認がなされた後、これら錠単体にはそれぞれ、２つ割りの左右ケース部材４１，４２からなる保護ケース４が皿ネジＢ１のネジ締めにより組付けられ、その後、各錠単体が皿ネジＢ２のネジ締めにより扉ＸのフロントＹに対して取付けられて錠装置１とされる。
【００９６】
本発明の錠装置１における組付け部品の確認方法は、上述のようになされるから、以下のような作用効果上の利点を有する。
【００９７】
対をなす錠ケース部材２１，２２、３１，３２からなる錠ケース２０、３０において、該錠ケース２０、３０を形成する錠ケース部材２１，２２、３１，３２にそれぞれ複数の覗き孔とされる開口や切欠部が設けられるから、錠ケース２０、３０の内部にそれぞれ複数部品の組付からなる錠機構が収容された状態において、該錠機構の組付け部品の存在や組付け状態が、前記錠ケース部材２１，２２、３１，３２に設けられた覗き孔とされる開口や切欠部を通して錠ケース２０，３０の外部から確認することができる。
【００９８】
したがって、錠装置１の組立の最終段階において、部品の組み忘れによる該部品の欠落はもとより、組付け部品の組付け状態の適否が前記錠ケース部材２１，２２、３１，３２の開口を通して目視や、場合によっては適宜簡単な点検用工具の使用により、また直接手で触れることで容易に確認することができるので、これにより、欠陥品とされる錠装置の出荷が阻止されるので、きわめて信頼性の高い錠装置の提供が可能となる。
【００９９】
また、組付け部品の確認のための覗き孔とされる開口や切欠部は目視等による確認ができればよいので、可能な限り小さな開口とすることができ、これにより、ごみ等の錠ケース２０および３０内部への浸入は極力抑えることができるから、錠装置の円滑な作動が確保され、作動不良の発生は防止される。
【０１００】
さらに、錠ケース部材２１，２２および３１，３２に設けられる覗き孔とされる開口や切欠部は、各組付け部品の組付け位置にそれぞれ対応して設けられるから、組付け部品の存在や、該部品の組付け不備等組付け状態の確認はさらに容易となり、確認の精度も向上し、また確認のために要する時間の短縮を図ることができる。
【図面の簡単な説明】
【０１０１】
【図１】本発明が適用された錠装置を示す図であり、その一部が仮想線で示された側面図である。
【図２】図１の錠装置を部分的に断面で示す三面図である。
【図３】図１の錠装置の左保護ケース部材を示す部品図である。
【図４】図１の錠装置の右保護ケース部材を示す部品図である。
【図５】図２のＶ−Ｖ線での拡大断面図である。
【図６】図２のＶＩ−ＶＩ線での拡大断面図である。
【図７】ラッチ体の構造を上面と側面で示す拡大図である。
【図８】ラッチ体の構造を上面と側面で示す拡大図であり、一部切断面とされている図である。
【図９】図１の錠装置の本締り錠の左錠ケース部材を示す部品図である。
【図１０】図１の錠装置の本締り錠の右錠ケース部材を示す部品図である。
【図１１】図１の錠装置の空錠の左錠ケース部材を示す部品図である。
【図１２】図１の錠装置の空錠の右錠ケース部材を示す部品図である。
【図１３】部品組付け後の本締り錠のケース外観図を示す多面図である。
【図１４】部品組付け後の空錠のケース外観図を示す三面図である。
【図１５】図１の錠装置の本締り錠の解錠途中でカマが半分下がった状態を示す図である。
【図１６】図１の錠装置の本締り錠の解錠途中でカマが完全にカンヌキの本体内に落ち込んだ状態を示す図である。
【図１７】図１の錠装置の本締り錠の解錠状態を示す図である。
【図１８】図１の錠装置の空錠のラッチ体が退入した状態を示す図である。
【図１９】従来の本締り錠と空錠とが組合わされた錠装置の一例を示す図である。
【符号の説明】
【０１０２】
１・・・錠装置、２・・・本締り錠、２０・・・本締り錠ケース、２１・・・左錠ケース部材、２２・・・右錠ケース部材、２１ｄ，２２ｄ・・・ハブ挿入配置用開口、２１ｅ，２２ｅ・・・ロックピン摺動確認開口、２１ｆ１，２１ｆ２，２２ｆ２，２２ｆ２・・・ブロッカー確認開口、２３・・・カンヌキ、２３ｂ・・・ロックピン、２３ｃ・・・カマ、２４・・・駆動体、２４ａ・・・ハブ、２４ｂ・・・カムプレート、２５・・・支持体、２６・・・保持体、３・・・空錠、３０・・・空錠ケース、３１・・・左錠ケース部材、３２・・・右錠ケース部材、３３・・・ラッチ体、３４ａ・・・ハブ、３５・・・第１戻し部材、３６・・・第２戻し部材、４・・・保護ケース、４１，４２・・・保護ケース部材、Ｂ１、Ｂ２，Ｂ３・・・皿ネジ、Ｓ１，Ｓ２，Ｓ３・・・スペーサ部材、Ｘ・・・扉、Ｙ・・・フロント、Ｚ・・・ストライク。
【図１】
2006316587.tif 000003
【図２】
2006316587.tif 000004
【図３】
2006316587.tif 000005
【図４】
2006316587.tif 000006
【図５】
2006316587.tif 000007
【図６】
2006316587.tif 000008
【図７】
2006316587.tif 000009
【図８】
2006316587.tif 000010
【図９】
2006316587.tif 000011
【図１０】
2006316587.tif 000012
【図１１】
2006316587.tif 000013
【図１２】
2006316587.tif 000014
【図１３】
2006316587.tif 000015
【図１４】
2006316587.tif 000016
【図１５】
2006316587.tif 000017
【図１６】
2006316587.tif 000018
【図１７】
2006316587.tif 000019
【図１８】
2006316587.tif 000020
【図１９】
2006316587.tif 000021